【手続補正書】
【提出日】平成30年9月28日(2018.9.28)
【手続補正１】
【補正対象書類名】特許請求の範囲
【補正対象項目名】全文
【補正方法】変更
【補正の内容】
【特許請求の範囲】
【請求項１】
モバイルデバイスによってページングメッセージを受信するための方法であって、
ページングサイクルのページング機会(PO)と前記PO後または前記PO前の持続時間とを含むページングウィンドウを決定するステップと、
ネットワークとの同期のためのシンボルレベル・ネットワークタイミング情報を取得するステップと、
前記シンボルレベル・ネットワークタイミング情報に基づき、前記モバイルデバイスが前記ページングウィンドウ内にあることを決定するステップと、
前記ページングウィンドウにおいてオンデマンドページング手順を実行するステップと
を含み、
前記オンデマンドページング手順を実行するステップが、
前記モバイルデバイスがページングインジケータメッセージを受信可能であることを示す、または前記モバイルデバイスのためのページングインジケータメッセージを要求するメッセージを送るステップであって、前記ページングインジケータメッセージが、前記モバイルデバイスのためのページングメッセージが存在するか否かを示す、ステップと、
前記メッセージに応答して、前記ページングインジケータメッセージを受信するステップとを含む、方法。
【請求項２】
前記ページングインジケータメッセージが、物理ダウンリンク制御チャネル(PDCCH)または物理ダウンリンク共有チャネル(PDSCH)を介して受信される、請求項1に記載の方法。
【請求項３】
深いスリープ状態を終了して、前記ネットワークタイミング情報を取得するステップと、
前記ページングインジケータメッセージが、前記モバイルデバイスのためのページングメッセージが存在しないことを示す場合に、前記深いスリープ状態に戻るステップと
をさらに含む、請求項1に記載の方法。
【請求項４】
前記終了することが、前記モバイルデバイスにおいて1つまたは複数のタスクを実行するための準備中に行われる、請求項3に記載の方法。
【請求項５】
前記1つまたは複数のタスクを実行することが、モバイル発信(MO)データまたは制御情報を送ることを含み、
前記メッセージが、前記MOデータまたは制御情報内で送信される、請求項4に記載の方法。
【請求項６】
前記モバイルデバイスのためのページングメッセージが存在することを前記ページングインジケータメッセージが示す場合、前記ネットワーク内で接続手順を実行し、前記ページングメッセージを受信するステップをさらに備える、請求項1に記載の方法。
【請求項７】
前記ページングメッセージに関連するデータに関するスケジューリング情報、または前記ページングメッセージに関連するデータのうちの少なくとも1つを前記ページングインジケータメッセージとともに受信するステップをさらに備える、請求項6に記載の方法。
【請求項８】
前記メッセージが、前記モバイルデバイスから発信されるデータまたは制御情報のうちの少なくとも1つとともに送信される、請求項1に記載の方法。
【請求項９】
能力情報を提供するステップをさらに含み、前記能力情報が、ページングインジケータメッセージが前記メッセージに応答して送られるべきであるか否かを示す、請求項1に記載の方法。
【請求項１０】
前記能力情報が、能力メッセージ内で提供される、請求項9に記載の方法。
【請求項１１】
前記能力情報が、登録メッセージ内で提供される、請求項9に記載の方法。
【請求項１２】
前記モバイルデバイスのためにバッファリングされる前記ページングメッセージのための許容可能な待ち時間の指示を前記能力情報とともに提供するステップをさらに含む、請求項9に記載の方法。
【請求項１３】
前記メッセージに応答してページングインジケータメッセージが送られることを示す指示を前記ネットワークから受信するステップをさらに備える、請求項1に記載の方法。
【請求項１４】
前記ページングウィンドウの周期性または長さのうちの少なくとも1つが、前記モバイルデバイスのための前記ページングメッセージが前記ネットワークにおけるバッファ内に保持される許容可能な待ち時間に依存する、請求項1に記載の方法。
【請求項１５】
前記モバイルデバイスが、前記メッセージが前記許容可能な待ち時間内に送られることを保証するためにタイマを維持するように構成された、請求項14に記載の方法。
【請求項１６】
前記モバイルデバイスが、現在のページングウィンドウに基づいて次のページングウィンドウを決定するように構成された、請求項1に記載の方法。
【請求項１７】
前記モバイルデバイスが前記ページングウィンドウ内にあることを決定するステップが、最後のメッセージを送信してからしきい値時間経過したと決定するステップを含む、請求項1に記載の方法。
【請求項１８】
前記モバイルデバイスが前記ページングウィンドウ内にあると決定するステップが、
前記モバイルデバイスの同期レベルに関連する最悪の場合のタイミングドリフトと前記POの時間とに基づき、前記ページングウィンドウを定義するステップと、
内部タイマをチェックし、前記モバイルデバイスが前記定義されたページングウィンドウ内にあるか否かを決定するステップと
を含む、請求項1に記載の方法。
【請求項１９】
前記ページングサイクルを決定した後に、前記POのうちの1つの発生時間を決定するステップと、
深いスリープ状態に入るステップと、
前記POの前記決定された発生時間をターゲットとする持続時間後に前記深いスリープ状態を終了し、前記シンボルレベル・ネットワークタイミング情報を取得するステップと
をさらに含む、請求項1に記載の方法。
【請求項２０】
基地局(BS)によってモバイルデバイスにページングするための方法であって、
前記モバイルデバイスがページングインジケータメッセージを受信可能であることを示す、または前記モバイルデバイスのためのページングインジケータメッセージを要求するメッセージを、オンデマンドページング手順が実行されるページングウィンドウ内で、前記モバイルデバイスから受信するステップであって、前記ページングウィンドウが、ページングサイクルのページング機会(PO)と前記PO前または前記PO後の持続時間とを含む、ステップと、
前記メッセージに応答して、前記ページングウィンドウ内でページングインジケータメッセージを前記モバイルデバイスに提供するステップであって、前記ページングインジケータメッセージは、前記モバイルデバイスのためのページングメッセージが存在するか否かを示す、ステップと
を含む、方法。
【請求項２１】
前記メッセージが、前記モバイルデバイスから発信されたデータとともに受信される、請求項20に記載の方法。
【請求項２２】
前記モバイルデバイスのためのページングメッセージをネットワークノードから受信するステップと、
しきい値持続時間の間、または前記メッセージが前記モバイルデバイスから受信されるまで、前記ページングメッセージをバッファリングするステップと
をさらに含む、請求項20に記載の方法。
【請求項２３】
前記しきい値持続時間が、前記ページングメッセージ内で示される、請求項22に記載の方法。
【請求項２４】
前記しきい値持続時間が、運用、管理、および保守(OAM)機能によって構成される、請求項22に記載の方法。
【請求項２５】
前記しきい値持続時間が、能力情報内で示される、請求項22に記載の方法。
【請求項２６】
前記モバイルデバイスが前記メッセージに応答してページングメッセージを受信するべきことを決定するステップをさらに備える、請求項20に記載の方法。
【請求項２７】
前記決定が、前記ページングメッセージ内の指示に基づいて行われる、請求項26に記載の方法。
【請求項２８】
前記決定が、前記モバイルデバイスから受信される能力情報における指示に基づいて行われる、請求項26に記載の方法。
【請求項２９】
前記能力情報が、能力メッセージ内で受信される、請求項28に記載の方法。
【請求項３０】
前記能力情報が、登録メッセージ内で受信される、請求項28に記載の方法。
【請求項３１】
ページングインジケータメッセージが前記メッセージに応答してオンデマンドで送られることを示す指示を前記モバイルデバイスに送るステップ
をさらに含む、請求項20に記載の方法。
【請求項３２】
前記ページングインジケータメッセージは、前記メッセージが受信されるときに対して固定された遅延後に、送られる、請求項20に記載の方法。
【請求項３３】
ネットワークノードによる方法であって、
ページングウィンドウ内でモバイルデバイスに送達されるべきページングメッセージを基地局に送るステップであって、前記ページングウィンドウが、ページングサイクルのページング機会(PO)と前記PO前または前記PO後の持続時間とを含む、ステップと、
オンデマンドページング手順が、前記モバイルデバイスに前記ページングメッセージを送達するために実行されるべきであることを示す指示を前記基地局に提供するステップであって、前記オンデマンドページング手順を実行することが、
前記ページングウィンドウ内における前記モバイルデバイスからのメッセージであって、前記モバイルデバイスがページングインジケータメッセージを受信可能であることを示す、または前記モバイルデバイスのためのページングインジケータメッセージを要求するメッセージに応答して、ページングインジケータメッセージを前記モバイルデバイスに送達することを含む、ステップと
を含む、方法。
【請求項３４】
前記ページングメッセージが前記基地局にバッファリングされるべきしきい値持続時間の指示を提供するステップをさらに含む、請求項33に記載の方法。
【請求項３５】
ページングメッセージを受信するための装置であって、
ページング機会(PO)と前記PO後または前記PO前の持続時間とを含むページングウィンドウを決定するための手段と、
ネットワークとの同期のためのシンボルレベル・ネットワークタイミング情報を取得するための手段と、
前記シンボルレベル・ネットワークタイミング情報に基づき、前記装置が前記ページングウィンドウ内にあることを決定するための手段と、
前記ページングウィンドウにおいてオンデマンドページング手順を実行するための手段と
を含み、前記オンデマンドページング手順を実行するための手段が、
前記装置がページングインジケータメッセージを受信可能であることを示す、または前記装置のためのページングインジケータメッセージを要求するメッセージを送るための手段と、
前記メッセージに応答して、前記ページングインジケータメッセージを受信するための手段とを含む、装置。
【請求項３６】
深いスリープ状態を終了して、前記ネットワークタイミング情報を取得するための手段と、
前記ページングインジケータメッセージが、前記装置のためのページングメッセージが存在しないことを示す場合に、前記深いスリープ状態に戻るための手段と
をさらに含む、請求項35に記載の装置。
【請求項３７】
ページングインジケータメッセージが前記メッセージに応答して送られることを示す指示を前記ネットワークから受信するための手段をさらに含む、請求項35に記載の装置。
【請求項３８】
前記ページングウィンドウの周期性または長さのうちの1つが、前記装置のための前記ページングメッセージが前記ネットワークにおけるバッファ内に保持される許容可能な待ち時間に依存し、
前記装置が、前記ページングインジケータメッセージが前記許容可能な待ち時間内に送られることを保証するためにタイマを維持するための手段をさらに含む、請求項35に記載の装置。
【請求項３９】
前記装置が、現在のページングウィンドウに基づいて次のページングウィンドウを決定するための手段をさらに含む、請求項35に記載の装置。
【請求項４０】
前記装置がページングウィンドウ内にあることを決定するための手段が、最後のメッセージを送信してからしきい値時間経過したと決定するための手段を含む、請求項35に記載の装置。
【請求項４１】
モバイルデバイスにページングするための装置であって、
前記モバイルデバイスがページングインジケータメッセージを受信可能であることを示す、または前記モバイルデバイスのためのページングインジケータメッセージを要求するメッセージを、オンデマンドページング手順が実行されるページングウィンドウ内で、前記モバイルデバイスから受信するための手段であって、前記ページングウィンドウが、ページングサイクルのページング機会(PO)と前記PO前または前記PO後の持続時間とを含む、手段と、
前記メッセージに応答して、前記ページングウィンドウ内でページングインジケータメッセージを提供するための手段であって、前記ページングインジケータメッセージは、前記モバイルデバイスのためのページングメッセージが存在するか否かを示す、手段と
を含む、装置。
【請求項４２】
ネットワークノードから、前記モバイルデバイスのためのページングメッセージを受信するための手段と、
しきい値持続時間の間、または前記メッセージが前記モバイルデバイスから受信されるまで、前記ページングメッセージをバッファリングするための手段と
をさらに含む、請求項41に記載の装置。
【請求項４３】
ページングインジケータメッセージが前記メッセージに応答してオンデマンドで提供されるべきことを決定するための手段であって、前記決定が、前記ページングメッセージ内の指示に基づく、請求項41に記載の装置。
【請求項４４】
ページングメッセージが前記メッセージに応答してオンデマンドで送られるべきことを示す指示を前記モバイルデバイスに送るための手段をさらに含む、請求項41に記載の装置。
【請求項４５】
ページングウィンドウ内でモバイルデバイスに送達されるべきページングメッセージを基地局に送るための手段であって、前記ページングウィンドウが、ページングサイクルのページング機会(PO)と前記PO前または前記PO後の持続時間とを含む、手段と、
オンデマンドページング手順が、前記モバイルデバイスに前記ページングメッセージを送達するために実行されるべきであることを示す指示を前記基地局に提供するための手段であって、前記オンデマンドページング手順を実行することが、
前記ページングウィンドウ内における前記モバイルデバイスからのメッセージをであって、前記モバイルデバイスがページングインジケータメッセージを受信可能であることを示す、または前記モバイルデバイスのためのページングインジケータメッセージを要求するメッセージに応答して、ページングインジケータメッセージを前記モバイルデバイスに送達することを含む、手段と
を含む、装置。
【請求項４６】
ページングメッセージを受信するための装置であって、
受信機と、
送信機と、
メモリに結合された少なくとも1つのプロセッサとを備え、前記プロセッサが、
ページング機会(PO)と前記PO後または前記PO前の持続時間とを含むページングウィンドウを決定することと、
ネットワークとの同期のためのシンボルレベル・ネットワークタイミング情報を取得することと、
前記シンボルレベル・ネットワークタイミング情報に基づき、前記装置が前記ページングウィンドウ内にあることを決定することと、
前記ページングウィンドウにおいてオンデマンドページング手順を実行することと
を行うように構成され、前記オンデマンドページング手順を実行することが、
前記装置がページングインジケータメッセージを受信可能であることを示す、または前記装置のためのページングインジケータメッセージを要求するメッセージを前記送信機を介して送ることと、
前記メッセージに応答して、前記ページングインジケータメッセージを前記受信機を介して受信することとを含む、装置。
【請求項４７】
前記少なくとも1つのプロセッサが、現在のページングウィンドウに基づいて次のページングウィンドウを決定するように構成された、請求項46に記載の装置。
【請求項４８】
前記少なくとも1つのプロセッサが、最後のメッセージを送信してからしきい値時間経過したと決定することによって、前記装置が前記ページングウィンドウ内にあると決定するように構成された、請求項46に記載の装置。
【請求項４９】
モバイルデバイスにページングするための装置であって、
前記モバイルデバイスがページングインジケータメッセージを受信可能であることを示す、または前記モバイルデバイスのためのページングインジケータメッセージを要求するメッセージを、オンデマンドページング手順が実行されるページングウィンドウ内で、前記モバイルデバイスから受信するように構成された受信機であって、前記ページングウィンドウが、ページングサイクルのページング機会(PO)と前記PO前または前記PO後の持続時間とを含む、受信機と、
メモリに結合された少なくとも1つのプロセッサであって、前記モバイルデバイスのためのページングメッセージが存在するか否かを示すページングインジケータメッセージを、前記ページングウィンドウ内で提供するように構成された、少なくとも1つのプロセッサと
を含む、装置。
【請求項５０】
ページングインジケータメッセージが前記メッセージに応答してオンデマンドで送られることを示す指示を前記モバイルデバイスに送るように構成された送信機をさらに含む、請求項49に記載の装置。
【請求項５１】
ページングウィンドウ内でモバイルデバイスに送達されるべきページングメッセージを基地局に送るように構成された送信機であって、前記ページングウィンドウが、ページングサイクルのページング機会(PO)と前記PO前または前記PO後の持続時間とを含む、送信機と、
メモリに結合された少なくとも1つのプロセッサであって、オンデマンドページング手順が、前記モバイルデバイスに前記ページングメッセージを送達するために実行されるべきことを示す指示を前記基地局に提供するように構成された少なくとも1つのプロセッサと
を含み、前記オンデマンドページング手順を実行することが、
前記ページングウィンドウ内における前記モバイルデバイスからのメッセージであって、前記モバイルデバイスがページングインジケータメッセージを受信可能であることを示す、または前記モバイルデバイスのためのページングインジケータメッセージを要求するメッセージに応答して、ページングインジケータメッセージを前記モバイルデバイスに送達することを含む、装置。
【請求項５２】
コンピュータ実行可能コードを有するコンピュータ可読記録媒体であって、前記コンピュータ実行可能コードが、
ページング機会(PO)と前記PO後または前記PO前の持続時間とを含むページングウィンドウを決定するためのコードと、
ネットワークとの同期のためのシンボルレベル・ネットワークタイミング情報を取得するためのコードと、
前記シンボルレベル・ネットワークタイミング情報に基づき、モバイルデバイスが前記ページングウィンドウ内にあることを決定するためのコードと、
前記ページングウィンドウにおいてオンデマンドページング手順を実行するためのコードと
を含み、前記オンデマンドページング手順を実行することが、
前記モバイルデバイスがページングインジケータメッセージを受信可能であることを示す、または前記モバイルデバイスのためのページングインジケータメッセージを要求するメッセージを送ることであって、前記ページングインジケータメッセージが、前記モバイルデバイスのためのページングメッセージが存在するか否かを示す、ことと、
前記メッセージに応答して、前記ページングインジケータメッセージを受信することと
を含む、コンピュータ可読記録媒体。
【請求項５３】
コンピュータ実行可能コードを有するコンピュータ可読記録媒体であって、前記コンピュータ実行可能コードが、
モバイルデバイスがページングインジケータメッセージを受信可能であることを示す、または前記モバイルデバイスのためのページングインジケータメッセージを要求するメッセージを、オンデマンドページング手順が実行されるページングウィンドウ内で、前記モバイルデバイスから受信するためのコードであって、前記ページングウィンドウが、ページングサイクルのページング機会(PO)と前記PO前または前記PO後の持続時間とを含む、コードと、
前記メッセージに応答して、前記ページングウィンドウ内でページングインジケータメッセージを前記モバイルデバイスに提供するためのコードであって、前記ページングインジケータメッセージは、前記モバイルデバイスのためのページングメッセージが存在するか否かを示す、コードと
を含む、コンピュータ可読記録媒体。
【請求項５４】
コンピュータ実行可能コードを有するコンピュータ可読記録媒体であって、前記コンピュータ実行可能コード、
ページングウィンドウ内でモバイルデバイスに送達されるべきページングメッセージを基地局に送るためのコードであって、前記ページングウィンドウが、ページングサイクルのページング機会(PO)と前記PO前または前記PO後の持続時間とを含む、コードと、
オンデマンドページング手順が、前記モバイルデバイスに前記ページングメッセージを送達するために実行されるべきであることを示す指示を前記基地局に提供するためのコードと
を含み、前記オンデマンドページング手順を実行することが、
前記ページングウィンドウ内における前記モバイルデバイスからのメッセージであって、前記モバイルデバイスがページングインジケータメッセージを受信可能であることを示す、または前記モバイルデバイスのためのページングインジケータメッセージを要求するメッセージに応答して、ページングインジケータメッセージを前記モバイルデバイスに送達することを含む、コンピュータ可読記録媒体。